(57)【要約】【課題】総量制限値に対する色の再現性の評価を行って最適な総量制限値を設定することができる色処理装置及び色処理プログラムを提供する。【解決手段】色域情報取得部１１は、画像出力装置の最大総量制限値を上限とする範囲で設定される総量制限値において、画像出力装置で再現される色域の情報を取得する。評価部１２は、色域情報取得部１１で取得した、設定されている総量制限値に対応する色域の評価を行う。例えば、最大総量制限値の場合の色域の色、または基準とする画像出力装置で再現される色域の色と、その色に対応する色域情報取得部１１で取得した色域の色との平均色差を評価値として算出する。探索部１３は、評価部１２による評価結果が予め決められている条件を満たす総量制限値を探索し、探索された条件を満たす総量制限値を出力する。【選択図】図１
2012039572.tif 000002
【特許請求の範囲】
【請求項１】
画像出力装置の最大総量制限値を上限とする範囲で設定される総量制限値において前記画像出力装置で再現される色域の情報を取得する色域情報取得手段と、前記色域情報取得手段で取得した前記総量制限値に対応する色域の評価を行う評価手段と、前記評価手段による評価結果が予め決められている条件を満たす前記総量制限値を探索する探索手段を有することを特徴とする色処理装置。
【請求項２】
前記評価手段は、前記最大総量制限値において前記画像出力装置で再現される色域の色と、該色に対応する前記色域情報取得手段で取得した色域の色との平均色差を評価値として算出することを特徴とする請求項１に記載の色処理装置。
【請求項３】
前記評価手段は、基準とする画像出力装置で再現される色域の色と、該色に対応する前記色域情報取得手段で取得した色域の色との平均色差を評価値として算出することを特徴とする請求項１に記載の色処理装置。
【請求項４】
前記評価手段は、前記最大総量制限値において前記画像出力装置で再現される色域と、前記色域情報取得手段で取得した色域との包含割合を評価値として算出することを特徴とする請求項１に記載の色処理装置。
【請求項５】
前記評価手段は、基準とする画像出力装置で再現される色域と、前記色域情報取得手段で取得した色域との包含割合を評価値として算出することを特徴とする請求項１に記載の色処理装置。
【請求項６】
前記評価手段は、色により重み付けを行って評価値を算出することを特徴とする請求項２から請求項５のいずれか１項に記載の色処理装置。
【請求項７】
コンピュータに、請求項１から請求項６のいずれか１項に記載の色処理装置の機能を実行させるものであることを特徴とする色処理プログラム。
【発明の詳細な説明】
【技術分野】
【０００１】
本発明は、色処理装置及び色処理プログラムに関するものである。
【背景技術】
【０００２】
カラー出力を行う出力装置では、その特性から、使用する色材の最大総量が制限されている。例えば電子写真方式では、定着の際の温度や色材の飛散などの問題から、色材の最大総量が決められている。また、液体噴射方式では、液体の流出を防ぎ乾燥を行うなどのために色材の最大総量が決められている。出力装置においては、その色材の最大総量までの範囲で、色材を用いて画像を形成している。
【０００３】
例えば特許文献１においては、色材の総量制限の範囲内で、墨色の色材量の算出と、算出した墨色の色材量における他の色の色材量を決定することが記載されている。また、特許文献２においては、リンクプロファイルとは別に色材総量制限をも満たすプロファイルを持ち、これらを統合した統合プロファイルを作成することが記載されている。
【０００４】
これらの特許文献において用いる総量制限値は、出力装置の最大総量制限値を用いるか、あるいは、予め総量制限値を決定しておくことになる。上述の画質不良を、最大総量制限値を用いる場合よりも低減するためには、総量制限値を最大総量制限値よりも下げればよいが、再現される色域は最大総量制限値を用いる場合に比べて狭くなり、色の再現性が低下する。従って、色の再現性を考慮しながら総量制限値を決めなくてはならない。
【先行技術文献】
【特許文献】
【０００５】
【特許文献１】特開２００２−１００９６号公報
【特許文献２】特開２００４−１４７３０１号公報
【発明の概要】
【発明が解決しようとする課題】
【０００６】
本発明は、総量制限値に対する色の再現性の評価を行って最適な総量制限値を設定することができる色処理装置及び色処理プログラムを提供することを目的とするものである。
【課題を解決するための手段】
【０００７】
本願請求項１に記載の発明は、画像出力装置の最大総量制限値を上限とする範囲で設定される総量制限値において前記画像出力装置で再現される色域の情報を取得する色域情報取得手段と、前記色域情報取得手段で取得した前記総量制限値に対応する色域の評価を行う評価手段と、前記評価手段による評価結果が予め決められている条件を満たす前記総量制限値を探索する探索手段を有することを特徴とする色処理装置である。
【０００８】
本願請求項２に記載の発明は、本願請求項１に記載の発明における前記評価手段が、前記最大総量制限値において前記画像出力装置で再現される色域の色と、該色に対応する前記色域情報取得手段で取得した色域の色との平均色差を評価値として算出することを特徴とする色処理装置である。
【０００９】
本願請求項３に記載の発明は、本願請求項１に記載の発明における前記評価手段が、基準とする画像出力装置で再現される色域の色と、該色に対応する前記色域情報取得手段で取得した色域の色との平均色差を評価値として算出することを特徴とする色処理装置である。
【００１０】
本願請求項４に記載の発明は、本願請求項１に記載の発明における前記評価手段が、前記最大総量制限値において前記画像出力装置で再現される色域と、前記色域情報取得手段で取得した色域との包含割合を評価値として算出することを特徴とする色処理装置である。
【００１１】
本願請求項５に記載の発明は、本願請求項１に記載の発明における前記評価手段が、基準とする画像出力装置で再現される色域と、前記色域情報取得手段で取得した色域との包含割合を評価値として算出することを特徴とする色処理装置である。
【００１２】
本願請求項６に記載の発明は、本願請求項２から請求項５のいずれか１項に記載の発明における前記評価手段が、色により重み付けを行って評価値を算出することを特徴とする色処理装置である。
【００１３】
本願請求項７に記載の発明は、コンピュータに、請求項１から請求項６のいずれか１項に記載の色処理装置の機能を実行させるものであることを特徴とする色処理プログラムである。
【発明の効果】
【００１４】
本願請求項１に記載の発明によれば、本構成を有しない場合に比べて最適な総量制限値を設定することができる。
【００１５】
本願請求項２に記載の発明によれば、総量制限値に対する色の再現性の評価を、最大総量制限値を用いる場合に対する相対的な色差により行うことができる。
【００１６】
本願請求項３に記載の発明によれば、総量制限値に対する色の再現性の評価を、基準とする画像出力装置で再現される色域からの色差により行うことができる。
【００１７】
本願請求項４に記載の発明によれば、総量制限値に対する色の再現性の評価を、最大総量制限値を用いる場合に対する色域の相対的な包含割合により行うことができる。
【００１８】
本願請求項５に記載の発明によれば、総量制限値に対する色の再現性の評価を、基準とする画像出力装置で再現される色域との包含割合により行うことができる。
【００１９】
本願請求項６に記載の発明によれば、色により重み付けした評価を行うことができる。
【００２０】
本願請求項７に記載の発明によれば、本願請求項１から請求項６のいずれか１項に記載の発明の効果を得ることができる。
【図面の簡単な説明】
【００２１】
【図１】本発明の実施の一形態を示す構成図である。
【図２】総量制限値と色域の関係の概要の説明図である。
【図３】本発明の実施の一形態における第１の動作例を示す流れ図である。
【図４】色差の一例の説明図である。
【図５】重みの一例の説明図である。
【図６】本発明の実施の一形態における第２の動作例を示す流れ図である。
【図７】本発明の実施の一形態の応用例の説明図である。
【図８】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２２】
図１は、本発明の実施の一形態を示す構成図である。図中、１１は色域情報取得部、１２は評価部、１３は探索部である。以下の説明では、ある画像出力装置が想定されており、その画像出力装置で用いる色材の最大総量である最大総量制限値が予め与えられているものとする。また、当該画像出力装置に与える色信号と、その色信号に対応して出力される色の測色値との複数の対、あるいは与える色信号と出力される色の関係を記述した色変換プロファイルが与えられているものとする。
【００２３】
色域情報取得部１１は、画像出力装置の最大総量制限値を上限とする範囲で設定される総量制限値において、画像出力装置で再現される色域の情報を取得する。総量制限値が設定された場合の色域の情報は、例えば上述の色信号と測色値との対、あるいは色変換プロファイルを用いることにより得られる。なお、総量制限値を最大総量制限値よりも小さく設定した場合には、画像出力装置で再現される色域は最大総量制限値における色域よりも狭くなる。
【００２４】
評価部１２は、色域情報取得部１１で取得した、設定されている総量制限値に対応する色域の評価を行う。この評価としては、例えば、最大総量制限値において画像出力装置で再現される色域の色、または基準とする画像出力装置で再現される色域の色と、その色に対応する色域情報取得部１１で取得した色域の色との平均色差を評価値として算出すればよい。あるいは、最大総量制限値において画像出力装置で再現される色域、あるいは基準とする画像出力装置で再現される色域と、色域情報取得部１１で取得した色域との包含割合を評価値として算出してもよい。また、評価値の算出の際には、色により重み付けを行って評価値を算出するとよい。
【００２５】
探索部１３は、評価部１２による評価結果が予め決められている条件を満たす総量制限値を探索し、条件を満たす探索された総量制限値を出力する。なお、予め設定されている総量制限値に対する評価部１２による評価結果を出力して処理を終了してもよく、その場合には探索部１３を設けずに構成してもよい。
【００２６】
本発明の実施の一形態における動作の一例について説明する。図２は、総量制限値と色域の関係の概要の説明図である。以下の説明では、一例として画像出力装置がＣ（シアン）、Ｍ（マゼンタ）、Ｙ（イエロー）、Ｋ（ブラック）の４色の色材を用いて画像を出力するものとし、各色材は０％以上１００％以下の範囲で使用するものとする。もちろん、使用する色材はこの例に限られるものでないことは言うまでもない。
【００２７】
４色の色材をそれぞれ上述の０％以上１００％以下の範囲で使用し、総量制限値を設けない場合には、色材の総量は０％以上４００％以下の範囲となる。図２においては、この場合の色域を破線で示している。なお、図２においては、ＬＡＢ色空間におけるＬ* 軸を含むある断面における色域の一例を示している。また、色域の外形は模式的に示したものである。
【００２８】
画像出力装置では、その装置の特性から最大総量制限値が設けられている。例えば最大総量制限値を２８０％とすると、総量が２８０％を超えて４００％以下の範囲で色材を使用しなければ再現されない色については、当該画像出力装置では再現されないことになる。従って、最大総量制限値が設けられた場合の色域は、最大総量制限値が設けられていない場合の色域よりも狭くなる。図２においては、最大総量制限値を設けた場合の色域を太線で示している。
【００２９】
さらに最大総量制限値以下で総量制限値を設定した場合には、その色域は最大総量制限値の場合の色域よりも狭くなる。例えば、総量制限値を２００％に設定すると、総量が２００％を超える色材を使用しなければ再現されない色については再現しない。そのため、最大総量制限値の場合には再現されたが総量制限値では再現されない色が生じ、色域は最大総量制限値の場合の色域よりも狭くなる。図２においては、ある総量制限値を設定した場合の色域を細線で示している。
【００３０】
このように、色材の総量を制限する場合、その制限する度合いに対応して色域が決まり、総量制限値が小さいほど色域は狭くなる。色域外の色は色域の色に変換して画像出力装置で出力するため、ある色域外の色を出力させようとした場合に実際に出力される色との差が生じる。この色の差は、出力させようとする色域外の色と色域の外郭との色空間における距離が大きいほど大きくなる。従って、総量制限値を小さくするほど再現されない色が増加し、また再現されない色が他の色に変換される際の色差が大きくなる。
【００３１】
一方、例えば画像出力装置が電子写真方式を用いるものである場合には、色材の総量を少なくすることによって、出力された画像のテカリの発生などが抑えられる。また、画像出力装置が液体噴射方式を用いるものである場合には、色材である液体の総量を少なくすることによって、液体の流出や滲みが抑えられる。従って、画質の面からは色材の総量を制限すればよい。
【００３２】
総量制限値は、上述のように色の差と画質とに影響し、その影響は相反することから、両者が均衡する総量制限値が得られるとよい。そのための一例として、ここでは総量制限値を設定した場合の平均色差を評価値として評価部１２で求め、その平均色差が許容される限度内で最小の総量制限値を探索部１３で探索する。
【００３３】
図３は、本発明の実施の一形態における第１の動作例を示す流れ図である。なお、予め総量制限値として、ある値が設定されているものとする。例えば最大総量制限値が総量制限値として設定されていてもよい。
【００３４】
Ｓ６１において、色域情報取得部１１は設定されている総量制限値において画像出力装置で再現される色域の情報を取得する。この色域の情報は、最大総量制限値の場合に得られている色信号と測色値との対、あるいは最大総量制限値の場合の色変換プロファイルを用い、色材総量を総量制限値に制限することにより計算で得られる。例えば、最大総量制限値において色材量が最小となる色変換モデルを作成しておき、その場合の色材総量が総量制限値を満たさない色領域を除外すれば、総量制限値を満たす色域が得られることになる。もちろん、他の方法で総量制限値を満たす色域を得てもよい。
【００３５】
Ｓ６２において、評価部１２は、この例では平均色差を評価値として算出する。図４は、色差の一例の説明図である。図４における色ａは総量制限を考慮しない場合の色であり、最大総量制限値の場合でも画像出力装置では再現されない色である。この色ａが最大総量制限値の場合の色域の色に変換された色を色ｂとしている。また、色ａが、設定されている総量制限値の場合の色域の色に変換された色を色ｃとしている。評価部１２で算出する色差としては、色ａと色ｃとの色差を算出すればよい。この場合の色差を絶対的な色差と呼ぶことにする。あるいは、画像出力装置において出力される色の違いという意味で、色ｂと色ｃの色差を算出してもよい。この場合の色差を相対的な色差と呼ぶことにする。
【００３６】
このような色差を、予め決められている色について算出し、平均して平均色差を評価値として得る。平均色差を算出する際には、色により重み付けを行ってもよい。図５は、重みの一例の説明図である。図５に示す例では、彩度に応じて重み付けを行う例を示している。例えば高彩度色における色の違いは目立つことから、高彩度色の色差が評価値に反映されるようにしている。このほかにも、暗色領域では、例えば図４に示した色の違いが大きくなると白化することがあり、この暗色領域において他の色よりも重みを大きくして評価値に反映するようにしてもよい。また、例えばある程度総量制限値を絞っても色域内となる色については平均色差に影響しないように他の色よりも重みを小さくしてもよい。もちろん、特定の色または色領域において他の色よりも色の違いを小さく抑える場合に、当該色または色領域の重みを他の色よりも大きくすればよい。
【００３７】
Ｓ６３において、探索部１３は評価部１２による評価結果が予め決められている条件を満たすか否かを判定し、条件を満たさなければＳ６４において総量制限値の設定を変更してＳ６１へ戻る。条件を満たせば、設定されている総量制限値を出力する。
【００３８】
Ｓ６３で判定する条件としては、例えば平均色差が予め与えた値以下である最小の総量制限値、などとすればよい。予め与える値は、評価部１２で絶対的な色差を求めている場合であればそれに対応する値を、相対的な色差を求めているのであればそれに対応する値を与えることになる。
【００３９】
条件を満たすか否かの判定は、どのような探索方法を用いるかによって異なる。例えば総量制限値を徐々に小さくして行き、条件として与えられている平均色差の値を超えたことで判定し、その前の回に設定した総量制限値を出力すればよい。あるいは、ニュートン法などを用いて条件として与えられている平均色差に近づけて行き、条件として与えられている平均色差の範囲内で予め与えた誤差の範囲となることによって条件を満たしたものと判定してもよい。もちろん、他の探索方法を用いる場合には、その探索方法に応じた終了条件により判定を行えばよい。
【００４０】
また、Ｓ６４で総量制限値を変更する場合には、評価部１２で得られた平均色差が条件として与えられている平均色差の値以内であれば総量制限値を減らすように変更すればよい。また、評価部１２で得られた平均色差が条件として与えられている平均色差の値を超えている場合には、最大総量制限値を超えない範囲で総量制限値を増やすように変更すればよい。
【００４１】
なお、探索部１３を設けずに操作者が評価部１２における評価値を参照して総量制限値を変更するように構成してもい。その場合には、操作者が設定した総量制限値に対してＳ６１およびＳ６２の処理を行い、評価値として平均色差を操作者に提示すればよい。
【００４２】
図６は、本発明の実施の一形態における第２の動作例を示す流れ図である。なお、予め総量制限値として、ある値が設定されているものとする。例えば最大総量制限値が総量制限値として設定されていてもよい。この第２の動作例では、評価部１２において色域の包含割合を評価値として算出する場合について説明する。既に説明したが、総量制限値が小さくなるほど色域は狭くなり、色域外の色の増大及び色差の拡大と画質の向上に影響する。この第２の動作例では、設定されている総量制限値における色域が、総量制限を考慮しない場合の色域あるいは最大総量制限値の場合の色域のどの程度の色をカバーしているかを包含割合として算出し、評価値として用いる例を示している。
【００４３】
Ｓ７１において、色域情報取得部１１は設定されている総量制限値において画像出力装置で再現される色域の情報を取得する。この処理は、第１の動作例における図３に示すＳ６１の処理である。
【００４４】
Ｓ７２において、評価部１２は、この例では色域の包含割合を評価値として算出する。図２において既に説明したが、総量制限を行うと色域は変化し、総量制限値を小さくするほど色域は狭くなる。図２では２次元の断面として示したが、３次元の色域においても、総量制限値を小さくするほど色域は狭くなる。従って、色域は総量制限値に対応した体積を有することになる。
【００４５】
評価部１２では、色域情報取得部１１で得た色域の情報から、設定されている総量制限値の場合の色域の体積を算出する。例えば図２における細線で示した色域の体積を算出しておく。そして、図２において破線で示した総量制限を考慮しない場合の色域の体積との比、すなわち、総量制限値の場合の色域が総量制限を考慮しない場合の色域の何％をカバーしているかを包含割合として算出する。これを絶対的な色域差と呼ぶことにする。あるいは、太線で示した最大総量制限値の場合の色域の体積との比、すなわち、総量制限値の場合の色域が最大総量制限の場合の色域の何％をカバーしているかを包含割合として算出してもよい。これを相対的な色域差と呼ぶことにする。なお、総量制限を考慮しない場合の色域の体積、あるいは、最大総量制限値の場合の色域の体積は、予め求めておけばよい。
【００４６】
このような包含割合を求める際には、色により重み付けを行ってもよい。例えば図５に示した彩度に応じた重み付けを行い、高彩度色が含まれなかった場合の包含割合の低下量を大きくすればよい。このほかにも、暗色領域での包含割合の低下量を大きくしてもよい。もちろん、特定の色または色領域において包含割合の低下量を大きくし、あるいは小さくしてもよい。
【００４７】
なお、ここでは包含割合として色域の体積の比を用いたが、これに限らず、例えば色空間中の予め決めておいた複数の色のそれぞれが色域に含まれるか否かを判定することによって、例えばいくつの色が含まれていくつの色が含まれなかったかなどにより包含割合を算出してもよい。もちろん、その他の方法を用いて包含割合を求めてもよい。
【００４８】
Ｓ７３において、探索部１３は評価部１２による評価結果が予め決められている条件を満たすか否かを判定し、条件を満たさなければＳ７４において総量制限値の設定を変更してＳ７１へ戻る。条件を満たせば、設定されている総量制限値を出力する。
【００４９】
Ｓ７３で判定する条件としては、例えば包含割合が予め与えた値以上である最小の総量制限値、などとすればよい。予め与える値は、評価部１２で絶対的な色域差を求めている場合であればそれに対応する値を、相対的な色域差を求めているのであればそれに対応する値を与えることになる。
【００５０】
条件を満たすか否かの判定は、第１の動作例で説明したように、どのような探索方法を用いるかによって異なり、探索方法に応じた判定を行えばよい。また、Ｓ７４で行う総量制限値の変更方法も、第１の動作例においてＳ６４で説明した通りである。さらに、第１の動作例でも説明したように操作者が評価部１２における評価値を参照して総量制限値を変更する構成としてもよく、その場合には探索部１３を設けず、操作者が設定した総量制限値に対してＳ７１およびＳ７２の処理を行い、評価値として包含割合を操作者に提示すればよい。
【００５１】
ここでは、第１の動作例として平均色差を評価値として用い、第２の動作例として包含割合を評価値として用いる例を示した。もちろん、評価値としてはこれらの例に限られるものではない。例えば平均色差の代わりに、予め決めておいたある色についての色差を評価値として用いたり、色域の体積の代わりに色域外郭の表面積を用いたり、あるいはさらに他の指標を評価値として用いてもよい。
【００５２】
図７は、本発明の実施の一形態の応用例の説明図である。図中、２１，２２は対象装置色変換部、２３は色域変換部、２４は出力変換部、２５，２６は色変換部である。図７（Ａ）は画像読取装置等で読み取ったＲＧＢ色信号を画像出力装置で出力する場合の一例を、図７（Ｂ）は他の出力装置で出力するためのＣＭＹＫ色信号を画像出力装置で出力する場合の一例を示している。いずれの例も、ＲＧＢ色信号またはＣＭＹＫ色信号を装置非依存色信号であるＬＡＢ色信号に一旦変換した後に、画像出力装置におけるＣＭＹＫ色信号に変換するものとしている。装置非依存色信号としては、ＬＡＢ色信号以外でもよく、ＸＹＺ色信号、ＹＣｒＣｂ色信号などであってもよい。
【００５３】
対象装置色変換部２１は、画像読取装置の装置特性に従ってＲＧＢ色信号をＬＡＢ色信号（Ｌ* ａ* ｂ* ）に変換する。例えば画像読取装置により読み取った色と元の色の測色値との対、あるいは色変換プロファイルを用いて色変換モデルを構築し、色変換を行えばよい。また、対象装置色変換部２２は、他の出力装置で出力するためのＣＭＹＫ色信号を、その出力装置の装置特性に従ってＬＡＢ色信号（Ｌ* ａ* ｂ* ）に変換する。例えば当該出力装置に与えた色信号と出力された色の測色値との対、あるいは色変換プロファイルを用いて色変換モデルを構築し、色変換を行えばよい。
【００５４】
出力変換部２４は、ＬＡＢ色信号（Ｌ*'ａ*'ｂ*'）を画像出力装置で出力するためのＣＭＹＫ色信号（Ｃ’Ｍ’Ｙ’Ｋ’）に変換する。この色変換において、上述の本発明の実施の一形態で説明した構成により得られた総量制限値を用いる。予め得ている画像出力装置に与えた色信号と測色値の対あるいは色変換プロファイルから、得られた総量制限値のもとでの画像出力装置における色変換モデルを作成する。出力変換部２４では、この色変換モデルを用い、ＬＡＢ色信号からＣＭＹＫ色信号への色変換を行う。
【００５５】
色域変換部２３では、対象装置色変換部２１または対象装置色変換部２２から出力されるＬＡＢ色信号の色域と、画像出力装置において総量制限値を設定した場合の色域との違いに起因する色変換を行う。例えば、対象装置色変換部２１または対象装置色変換部２２から出力されるＬＡＢ色信号が、画像出力装置において総量制限値を設定した場合の色域外となる場合に、その総量制限値を設定した場合の色域の色へ変換する。もちろん、対象装置色変換部２１または対象装置色変換部２２から出力されるＬＡＢ色信号が総量制限値を設定した場合の色域内であっても、色変換を行ってもよい。この色域変換部２３における色変換は、公知の処理により行えばよい。
【００５６】
このようにして、画像読取装置で読み取った画像や他の出力装置で出力するための画像が、上述の本発明の実施の一形態で得た総量制限値のもとで当該画像出力装置にて出力される。色域変換部２３によって対象装置色変換部２１または対象装置色変換部２２から出力されるＬＡＢ色信号は異なるＬＡＢ色信号に変換される場合があるが、本発明の実施の一形態で得た総量制限値のもとでは色の差は抑えられており、さらに色材の総量の過多による画質劣化も抑えられている。
【００５７】
なお、色域変換部２３及び出力変換部２４の処理を一括して色変換部２５で行うように構成した例を図７（Ｃ）に示している。さらに、対象装置色変換部２１または対象装置色変換部２２の処理まで含めた処理を一括して色変換部２６で行うように構成した例を図７（Ｄ）に示している。色変換部２５，色変換部２６は、例えば色変換表及び補間処理などで構成するとよく、もちろん、他の色変換方法であってもよい。
【００５８】
図８は、本発明の実施の一形態で説明した機能をコンピュータプログラムで実現した場合におけるコンピュータプログラム及びそのコンピュータプログラムを格納した記憶媒体とコンピュータの一例の説明図である。図中、３１はプログラム、３２はコンピュータ、４１は光磁気ディスク、４２は光ディスク、４３は磁気ディスク、４４はメモリ、５１はＣＰＵ、５２は内部メモリ、５３は読取部、５４はハードディスク、５５はインタフェース、５６は通信部である。
【００５９】
上述の本発明の実施の一形態で説明した各部の機能を全部あるいは部分的に、コンピュータにより実行可能なプログラム３１によって実現してもよい。その場合、そのプログラム３１およびそのプログラムが用いるデータなどは、コンピュータが読み取り可能な記憶媒体に記憶させておけばよい。記憶媒体とは、コンピュータのハードウェア資源に備えられている読取部５３に対して、プログラムの記述内容に応じて、磁気、光、電気等のエネルギーの変化状態を引き起こして、それに対応する信号の形式で、読取部５３にプログラムの記述内容を伝達するものである。例えば、光磁気ディスク４１，光ディスク４２（ＣＤやＤＶＤなどを含む）、磁気ディスク４３，メモリ４４（ＩＣカード、メモリカード、フラッシュメモリなどを含む）等である。もちろんこれらの記憶媒体は、可搬型に限られるものではない。
【００６０】
これらの記憶媒体にプログラム３１を格納しておき、例えばコンピュータ３２の読取部５３あるいはインタフェース５５にこれらの記憶媒体を装着することによって、コンピュータからプログラム３１を読み出し、内部メモリ５２またはハードディスク５４（磁気ディスクやシリコンディスクなどを含む）に記憶し、ＣＰＵ５１によってプログラム３１を実行することによって、上述の本発明の実施の一形態で説明した機能が全部あるいは部分的に実現される。あるいは、通信路を介してプログラム３１をコンピュータ３２に転送し、コンピュータ３２では通信部５６でプログラム３１を受信して内部メモリ５２またはハードディスク５４に記憶し、ＣＰＵ５１によってプログラム３１を実行することによって実現してもよい。
【００６１】
コンピュータ３２には、このほかインタフェース５５を介して様々な装置と接続してもよい。例えば画像出力装置が、このインタフェース５５を介して接続されていてもよい。また、情報を表示する表示手段や利用者からの情報を受け付ける受付手段等も接続されていてもよい。
【００６２】
もちろん、部分的にハードウェアによって構成することもできるし、全部をハードウェアで構成してもよい。あるいは、他の構成とともに本発明の実施の一形態で説明した機能の全部あるいは部分的に含めたプログラムとして構成してもよい。もちろん、他の用途に適用する場合には、その用途におけるプログラムと一体化してもよい。
【符号の説明】
【００６３】
１１…色域情報取得部、１２…評価部、１３…探索部、２１，２２…対象装置色変換部、２３…色域変換部、２４…出力変換部、２５，２６…色変換部、３１…プログラム、３２…コンピュータ、４１…光磁気ディスク、４２…光ディスク、４３…磁気ディスク、４４…メモリ、５１…ＣＰＵ、５２…内部メモリ、５３…読取部、５４…ハードディスク、５５…インタフェース、５６…通信部。
【図１】
2012039572.tif 000003
【図２】
2012039572.tif 000004
【図３】
2012039572.tif 000005
【図４】
2012039572.tif 000006
【図５】
2012039572.tif 000007
【図６】
2012039572.tif 000008
【図７】
2012039572.tif 000009
【図８】
2012039572.tif 000010